(57)【要約】    【課題】通話中に入力される音声情報を必要に応じて文字情報に変換し、この変換した文字情報を保存し及び伝送することのできる通信端末機及び通信端末機における通話内容送信方法を提供する。    【解決手段】通信端末機は、音声認識機能を起動し又は停止させるための音声認識ボタンを備えたキーパッドと、通話中に前記音声認識ボタンが操作されることによって前記音声認識機能を起動し、入力された音声を文字情報に変換して通話相手側の通信端末機に伝送する制御部と、を含んで構成される。【選択図】図１
2006352869.tif 000002
【特許請求の範囲】
【請求項１】
通話内容を文字情報に変換し、この変換した文字情報を通話相手側の通信端末機に伝送するようにしたことを特徴とする通信端末機。
【請求項２】
前記通話内容を変換した文字情報を保存することを特徴とする請求項１に記載の通信端末機。
【請求項３】
音声認識機能を起動し又は停止させるための音声認識ボタンを備えたキーパッドと、
通話中に前記音声認識ボタンが操作されることによって前記音声認識機能を起動し、入力された音声を文字情報に変換して通話相手側の通信端末機に伝送する制御部と、
を含んで構成されることを特徴とする通信端末機。
【請求項４】
前記制御部は、
前記音声認識機能の動作中に入力されたユーザの音声を分析して文字情報を抽出する音声認識部と、
前記抽出した文字情報をメッセージとして作成し、作成したメッセージを通話中の相手側の通信端末機に伝送するメッセージ送信部と、
を含むことを特徴とする請求項３に記載の通信端末機。
【請求項５】
前記制御部は、通話中に、音声認識機能の動作中に入力された音声に対応する文字情報を含むメッセージを送信するように制御することを特徴とする請求項３に記載の通信端末機。
【請求項６】
前記音声認識ボタンが機能ボタンの一つに割り当てられていることを特徴とする請求項３に記載の通信端末機。
【請求項７】
前記音声認識ボタンが、サイドキー又はソフトキーのうちのいずれか一つに割り当てられていることを特徴とする請求項３に記載の通信端末機。
【請求項８】
前記制御部は、前記音声認識機能が起動したことを通知する通知音を出力するように制御することを特徴とする請求項３に記載の通信端末機。
【請求項９】
前記音声認識機能の動作状態を表示する表示部をさらに含んで構成されることを特徴とする請求項３に記載の通信端末機。
【請求項１０】
前記表示部は、前記音声認識機能が動作中であるか否かをアイコン表示することを特徴とする請求項９に記載の通信端末機。
【請求項１１】
前記表示部は、前記変換した文字情報を画面に表示することを特徴とする請求項９に記載の通信端末機。
【請求項１２】
前記表示部は、通話画面の下段に前記音声認識ボタンとしてソフトボタンを表示し、該ソフトボタンが押されることにより前記音声認識機能を起動し又は停止するように構成されたことを特徴とする請求項９に記載の通信端末機。
【請求項１３】
前記制御部は、前記入力された音声の波形を分析し、その分析結果に基づく文字情報をメッセージ形式にして前記相手側の通信端末機に伝送するように制御することを特徴とする請求項３に記載の通信端末機。
【請求項１４】
前記音声の分析結果に基づく文字情報が保存されるメモリを含むことを特徴とする請求項１３に記載の通信端末機。
【請求項１５】
前記制御部は、通話中に、前記音声認識機能の動作中に入力された音声を分析し、前記音声認識機能が停止すると、前記音声認識機能の動作中に入力された音声に対応する文字情報を含むメッセージを前記通話相手側の通信端末機に伝送するように制御することを特徴とする請求項３に記載の通信端末機。
【請求項１６】
通話中に入力された音声を文字情報に変換する段階と、
前記変換した文字情報を通話相手側の通信端末機に伝送する段階と、
を含んで構成されることを特徴とする通信端末機における通話内容送信方法。
【請求項１７】
音声認識ボタンの操作により音声認識機能を起動させる段階と、
前記音声認識機能の動作中に通話音声を文字情報に変換し、この変換した文字情報を通話相手側の通信端末機に伝送する段階と、
を含んで構成されることを特徴とする通信端末機における通話内容送信方法。
【請求項１８】
前記音声認識ボタン又はそれと同一の機能を有するボタンの操作により前記音声認識機能を停止させる段階と、
前記音声認識機能が停止した後に、前記変換した文字情報をメッセージとして作成して前記通話相手側の通信端末機に伝送する段階と、
をさらに含んで構成されることを特徴とする請求項１７に記載の通信端末機における通話内容送信方法。
【請求項１９】
前記メッセージを作成して前記通話相手側の通信端末機に伝送する段階は、
前記音声認識機能が停止した後に、前記変換した文字情報を保存する段階と、
前記保存された文字情報をメッセージとして作成する段階と、
をさらに含んで構成されることを特徴とする請求項１８に記載の通信端末機における通話内容送信方法。
【請求項２０】
前記変換した文字情報を通話相手側の通信端末機に伝送する段階は、
前記通話音声を分析する段階と、
前記分析の結果に基づく文字情報を保存し、前記音声認識機能が停止されると、前記音声認識機能の動作中に入力された音声に対応する文字情報を含むメッセージを前記通話相手側の通信端末機に伝送する段階と、
をさらに含んで構成されることを特徴とする請求項１７に記載の通信端末機における通話内容送信方法。
【請求項２１】
表示部が通話画面の下段に音声認識ボタンとしてソフトボタンを表示し、該ソフトボタンが操作されることにより前記音声認識機能を起動し又は停止することを特徴とする請求項１７に記載の通信端末機における通話内容受信方法。
【請求項２２】
前記表示部は、通話相手用の音声認識ボタンとして第２のソフトボタンを表示し、
該第２のソフトボタンが操作されることにより前記通話相手の音声に対する音声認識機能を起動し又は停止することを特徴とする請求項２１に記載の通信端末機における通話内容送信方法。
【請求項２３】
前記変換した文字情報を通話相手側の通信端末機に伝送する段階は、
通話相手側の端末機に係る電話番号を確認し、分析した音声に対応する文字情報を含むメッセージを前記確認した電話番号に基づいて伝送する段階をさらに含んで構成されることを特徴とする請求項１７に記載の通信端末機における通話内容送信方法。
【請求項２４】
前記変換した文字情報を通話相手側の通信端末機に伝送する段階は、
前記音声認識機能の動作中に分析した通話音声を文字情報として保存する段階と、
前記音声認識ボタンの操作によって前記音声認識機能が停止すると、前記文字情報を含むメッセージを通話相手側の通信端末機に伝送する段階と、
をさらに含んで構成されることを特徴とする請求項１７に記載の通信端末機における通話内容送信方法。
【請求項２５】
前記変換した文字情報を通話相手側の通信端末機に伝送する段階は、
前記音声認識機能の動作中に通話音声を文字情報に変換した後、該文字情報を表示する段階と、
前記変換された文字情報を伝送するか否かをユーザに確認する段階と、
文字情報を伝送することが確認された場合に、前記変換された文字情報を通話相手側の通信端末機に伝送する段階と、
をさらに含んで構成されることを特徴とする請求項１７に記載の通信端末機における通話内容送信方法。
【発明の詳細な説明】
【技術分野】
【０００１】
本発明は、通信端末機に関し、特に、通話内容を文字情報に変換して伝送することのできる通信端末機及び通信端末機における通話内容送信方法に関する。
【背景技術】
【０００２】
一般的に、音声認識は、話者の音声波形を分析してその波形の特徴を情報要素として抽出し、波形の時間的変化をパターンとして把握して音声を認識する。すなわち、音声認識は、予め分析して登録しておいた単語に対する音声の標準パターンと、入力された未知の音声を分析したパターンとを比較することで、最も類似したパターンを探し出して該当する情報要素を抽出する。
【０００３】
近年、このような音声認識術が移動通信端末機においても利用されてきており、移動通信端末機の中には、音声認識を利用してユーザの音声を分析して情報要素を抽出し、その抽出された情報を電話番号登録のために使用するものがある。
【０００４】
この場合、移動通信端末機における音声認識装置は、ユーザの音声を受信して音声認識し、その認識された文字列と特定の文字列とを比較して一致すると、音声認識により抽出した番号を画面に表示する。
【発明の開示】
【発明が解決しようとする課題】
【０００５】
しかしながら、このような従来の移動通信端末機では、電話番号登録のために音声認識により抽出した番号を画面に表示するだけに止まり、移動通信端末機において音声認識機能を十分に利用しているとは言えなかった。
【０００６】
本発明は、このような実情に鑑みてなされたものであり、その目的は、通話中に入力される音声情報を必要に応じて文字情報に変換し、この変換した文字情報を保存し及び伝送することのできる通信端末機及び通信端末機における通話内容送信方法を提供することにある。
【課題を解決するための手段】
【０００７】
このような目的を達成するために、本発明に係る通信端末機は、通話内容を文字情報に変換し、この変換した文字情報を通話相手側の通信端末機に伝送することを特徴とする。
【０００８】
また、本発明に係る通信端末機は、音声認識機能を起動し又は停止するための音声認識ボタンを備えたキーパッドと、通話中に前記音声認識ボタンが操作されることによって前記音声認識機能を起動し、入力された音声を文字情報に変換して通話相手側の通信端末機に伝送する制御部と、を含んで構成されることを特徴とする。
【０００９】
また、本発明に係る通信端末機における通話内容送信方法は、通話中に入力された音声を文字情報に変換する段階と、前記変換した文字情報を通話相手側の通信端末機に伝送する段階と、を含んで構成されることを特徴とする。
【００１０】
また、本発明に係る通信端末機における通話内容送信方法は、音声認識ボタンの操作により音声認識機能を起動させる段階と、前記音声認識機能の動作中に通話音声を文字情報に変換し、この変換した文字情報を通話相手側の通信端末機に伝送する段階と、を含んで構成されることを特徴とする。
【発明の効果】
【００１１】
本発明によると、通話内容を文字情報に変換し、この変換した文字情報を通話相手側の通信端末機に伝送するので、相手側は通話終了後においても通話内容を確認することができるという効果がある。
ここで、音声認識ボタンの操作によって音声認識機能を起動するようにすれば、通話中の必要なときにのみユーザの音声を音声認識し、その音声認識の結果を通話相手にメッセージとして伝送することができ、通信端末機の負荷の増大を抑制できるとともに、通話相手は、当該通話内容の一部分（重要な部分等）を受信して、通話終了後にその重要な部分についての確認をすることができ、さらに効果的である。
【００１２】
また、音声認識の要求、すなわち、音声認識ボタンの操作によって音声認識を起動して必要なときに音声認識を行うことができるので、通話中の不要な部分（重要でない部分等）については音声認識を行わずにすみ、通信端末機の処理能力を効率的に管理することができる。制御部やメモリ等に過剰な負荷を与えることがなく、全体として端末機の性能が向上する。
【００１３】
さらに、通話相手側の端末機が音声認識をサポートしていない場合であっても、通話相手は、通話内容を音声認識した結果を得ることができる。すなわち、通話相手としても自らが音声認識機能を利用したのと同様な結果を得ることができるという効果がある。
【００１４】
さらにまた、通話内容を変換した文字情報を伝送するだけではなく、該文字情報を保存することにより、通話相手のみならず、（伝送した側の）ユーザも、通話終了後に保存された情報から通話内容中の重要な部分を再確認することができる。
【発明を実施するための最良の形態】
【００１５】
以下、図面を参照して、本発明の好ましい実施形態を詳細に説明する。以下の説明において、「通話内容」とは、通信端末機間で行われる音声通話の内容を意味する。
【００１６】
図１は、本発明の実施形態に係る通信端末機間における通話内容の送受信を概略的に示す図である。図１において、第１移動通信端末機１００と第２移動通信端末機２００とは通話中である。ここで、第１移動通信端末機１００又は第２移動通信端末機２００のユーザは、通話中又は通話終了後に特定の通話内容を文字情報として伝送することができる。
【００１７】
例えば、第１移動通信端末機１００が、通話中の第２移動通信端末機２００に通話内容を文字情報として伝送する場合には、第１移動通信端末機１００の音声認識機能が起動してから停止するまでの（すなわち、音声認識機能の動作中の）通話内容を文字情報として伝送する。ここにおいて、かかる文字情報は、ショートメッセージサービスを利用して伝送することが好ましい。
【００１８】
その後、第１移動通信端末機１００から伝送された文字情報は、第２移動通信端末機２００に受信され、保存される。ここで、第２移動通信端末機２００は、伝送された文字情報を受信したことを表示するが、これは、一般のショートメッセージを受信して表示する動作と同様であるので、これについての詳細な説明は省略する。
【００１９】
図２は、本発明の実施形態に係る移動通信端末機の概略構成を示すブロック図である。図２に示すように、キーパッド１０は、数字や文字情報を入力するためのキー及び各種機能を設定するための機能ボタンを備える。また、キーパッド１０は、音声認識機能を起動し又は停止するための音声認識ボタンを備える。
【００２０】
制御部２０は、移動通信端末機の全般的な動作を制御する。また、制御部２０は、通話中に前記音声認識ボタンが操作されることによって音声認識機能を起動し、入力された通話内容（音声内容）を音声認識部３０により分析し、その分析された音声に対応する文字情報を通話相手側の端末機に伝送するための全般的な動作を制御する。また、制御部２０は、前記文字情報をメッセージとして作成して通話相手側の端末機に伝送するための全般的な動作を制御する。なお、制御部２０は、音声認識部３０とメッセージ送受信部５０とを含むように構成してもよいし、別々に構成してもよい。別々に構成した場合には、制御部２０と音声認識部３０との間、制御部２０とメッセージ送受信部５０との間のそれぞれにおいて所定の信号がやり取りされることになる。
【００２１】
音声認識部３０は、音声認識機能の動作中に通話中の音声を分析して文字情報を抽出する。
【００２２】
表示部４０は、制御部２０の制御によりプログラム実行中に発生する様々なメッセージを表示し、また、移動通信端末機の動作に応じたユーザデータ等を表示する。また、表示部４０は、音声認識機能によって変換した文字情報をメッセージとして作成して送信する過程に応じた画面データを表示する。例えば、音声認識機能の動作状態、変換した文字情報（又は作成したメッセージ）、メッセージの送信状態の表示等が該当する。なお、音声認識機能の動作状態（動作中であるか否か）をアイコン表示してもよい。
さらに、表示部４０は、通話相手側の端末機を含む他の端末機から受信した文字情報を含む受信メッセージを表示する。この受信メッセージには、一般のメッセージはもちろん、通話中に通話内容を音声認識機能によって認識された音声に対応する文字情報（通話内容を変換した文字情報）からなるメッセージが含まれる。
ここで、表示部４０としては、ＬＣＤを使用することができ、かかるＬＣＤを使用する場合には、表示部４０は、ＬＣＤ制御部、映像データ等を保存するメモリ部及びＬＣＤ表示素子などを備えることになる。また、ＬＣＤを使用した表示部４０をタッチスクリーン方式で実現する場合には、キーパッド１０及びＬＣＤが入力部となる。
【００２３】
メッセージ送受信部５０は、通話内容を変換した文字情報からなるメッセージを通話相手側の端末機に伝送し、また、通話相手側の端末機から伝送されたメッセージ（通話内容を変換した文字情報からなるメッセージ）を受信する。
【００２４】
このような構成の移動通信端末機は、音声通話中に、音声認識ボタンの操作によって音声認識機能が起動すると、該音声認識機能により認識された音声に対応する文字情報をメッセージとして作成し、この作成したメッセージを通話相手側の端末機に伝送する。
【００２５】
すなわち、移動通信端末機は、キーパッド１０に音声認識ボタンを備えており、ユーザがこの音声認識ボタンを操作すると、音声認識機能を起動する。また、音声認識機能の動作中にユーザが音声認識ボタンを操作すると、移動通信端末機は、音声認識機能を停止する。具体的には、キーパッド１０は、音声認識ボタンの入力操作によって発生するキーデータを制御部２０に出力し、制御部２０は入力されるキーデータに応じて音声認識機能を起動し又は停止する。なお、キーパッド１０は、現在の音声認識機能の状態に応じて音声認識機能の起動要求又は音声認識機能停止要求を出力する。
【００２６】
図３は、キーパッド、より具体的には、該キーパッドに備えられる音声認識ボタンの位置を示す図である。図３に示すように、本実施形態に係るキーパッド１０では、音声認識ボタン１１が機能ボタンの一つに割り当てられており、通話途中での音声認識ボタン１１へのアクセスを容易にしている。また、キーパッド１０は、音声認識ボタン１１上にロゴを表示して音声認識ボタン１１であることを示す。ここで、音声認識ボタン１１の配置は、図３に示される位置に限られず、通話の邪魔とならない位置に配置して通話中のボタン操作を容易にできればよい。
【００２７】
また、音声認識ボタン１１をキーパッド１０に備えずに、側面に設けられるサイドキーの一つを音声認識ボタンとして設定することもできる。
【００２８】
一方、他の実施形態として、移動通信端末機は、音声認識ボタン１１をキーパッド１０等に配置せず、通話時の画面（通話画面）の下段に音声認識ボタンとしてソフトボタンを表示し、そのソフトボタン（ソフトキー）を操作して音声認識機能を起動し又は停止することもできる。
【００２９】
図４は、音声認識ボタンをソフトボタンとして実現した例を示す図である。
図４に示すように、移動通信端末機は、通話画面の下段に音声認識メニューを表示してソフトボタンにより音声認識メニューが選択されると、通話中に音声認識機能を起動して入力された音声の音声認識を行う。なお、かかる音声認識が行われると、移動通信端末機は、認識停止のメニューを通話画面の下段に表示する。
【００３０】
ここで、ユーザが相手との通話中に音声認識ボタンを押し、自身の音声を文字情報に変換して通話相手にメッセージとして伝送する場合について説明する。
【００３１】
移動通信端末機のキーパッド１０は、音声認識機能が停止しているときに、ユーザにより音声認識ボタンが押されると、音声認識要求を制御部２０に伝送する。
次に、制御部２０は、キーパッド１０からの音声認識要求を受信して音声認識部３０に音声認識機能の起動信号を伝送する。
【００３２】
その後、制御部２０は、音声認識機能が起動したこと（つまり、動作中であること）を表示部４０に表示し、音声認識機能が動作中である旨のメッセージを画面に表示する。他の方法として、制御部２０は、音声認識機能が起動したことを通知する通知音をスピーカから出力してその旨をユーザに通知することもできる。
【００３３】
音声認識部３０は、音声認識機能の起動信号を受信すると、ユーザの音声の波形を分析し、その分析された波形の特徴と標準パターンとを比較して文字情報を抽出する。そして、音声認識部３０は、抽出した文字情報を表示部４０に伝送し、表示部４０は、この伝送された文字情報を画面に表示する。ユーザは、画面に表示され文字情報を見て音声認識の結果を確認する。
【００３４】
次に、ユーザは、音声認識ボタンを押して音声認識機能を停止させた後に、移動通信端末機が通話相手側の端末機に文字情報を伝送する場合について説明する。
【００３５】
キーパッド１０は、音声認識機能の動作中に音声認識ボタンが押されると、音声認識機能の停止要求を制御部２０に伝送する。
制御部２０は、キーパッド１０の音声認識機能の停止要求を受信し、音声認識部３０に音声認識機能の停止信号を伝送する。
【００３６】
音声認識部３０は、音声認識機能の停止信号を受信すると、音声認識により抽出した（通話内容を変換した）文字情報をメモリ等の保存媒体に保存する。
制御部２０は、音声認識機能が停止したことを表示部４０及びメッセージ送受信部５０に通知する。
表示部４０は、音声認識機能が停止した旨のメッセージを画面に表示する。
ここで、制御部２０は、音声認識機能が停止した旨のメッセージを画面に表示する代わりに、音声認識機能が停止したことを通知する通知音をスピーカから出力してユーザに通知することもできる。
【００３７】
メッセージ送受信部５０は、音声認識部３０により音声認識された文字情報、すなわち、通話内容を変換した文字情報をメッセージとして作成し、この作成したメッセージを通話相手側の端末機に伝送する。ここで、かかるメッセージの伝送は、通話中に行ってもよいし、通話終了時又はその後に行ってもよい。
【００３８】
また、通話相手側の端末機も音声認識機能を有する場合には、メッセージ送受信部５０は、通話相手側の端末機から伝送されたメッセージを受信し、受信したメッセージを画面に表示して音声認識された文字情報（通話相手側の端末機で変換された文字情報）を出力する。
ここで、メッセージ送受信部５０は、メッセージを伝送する際に、通話相手側の端末機の電話番号を確認してメッセージの転送対象に指定し、その後、音声認識された文字情報を含むメッセージを転送対象に送信する。
【００３９】
図５は、本発明の実施形態に係る通話内容送信方法を示す図である。
図５に示すように、本実施形態通話内容送信方法は、通話中に（１）、音声認識ボタンの操作により音声認識機能を起動する段階（２〜４）と、音声認識機能が起動すると、音声認識機能が起動したこと（音声認識機能が動作中であること）を通話画面に表示する段階（５，６）と、ユーザの音声が入力されると音声認識を行う段階（７）と、音声認識機能が動作状態にあるときに音声認識ボタンが操作されると音声認識機能を停止する段階（８〜１０）と、音声認識された（すなわち、通話内容を変換した）文字情報をメモリに保存し、音声認識機能が停止したことを画面に表示する（音声認識機能に関する表示を終了する）段階（１１〜１３）と、音声認識された文字情報をメッセージとして作成して通話中の相手の端末機に伝送する段階（１４）と、を含んで構成される。なお、文字情報をメッセージとして作成して通話相手側の端末機に伝送する段階は、通話終了時またはその後であってもよい。
【００４０】
ここで、通話内容（通話音声）を変換した文字情報の保存方法について詳細に説明する。なお、ここでは、ユーザと相手は通話中であり、ユーザが通話相手に電話番号に関する情報を伝達するときに音声認識を使用する場合を説明する。
【００４１】
以下で言う移動通信端末機は、機器全体を示す場合を除き、移動通信端末機の全般的な動作を制御する制御部２０のことでもある。
【００４２】
まず、移動通信端末機は、通話中に音声認識ボタンが押されると音声認識機能を起動し、音声認識機能の動作中に音声認識ボタンが押されると音声認識機能を停止する。
【００４３】
すなわち、移動通信端末機は、音声認識ボタンが押されることにより音声認識機能の起動と停止の転換を制御して音声認識を実行し又は停止する。
【００４４】
ここで、ユーザが音声認識ボタンを押すために通話を中止しなくてもよいように、音声認識ボタンを機能ボタンに配置する（機能ボタンの一つに割り当てる）ことで、通話中における音声認識ボタンへのアクセスを便利にする。また、移動通信端末機は、音声認識ボタン上にロゴを表示して音声認識ボタンであることを表示しており、これにより、ユーザは、キーパッドに表示されたロゴを見て容易に音声認識ボタンの位置を確認することができる。
【００４５】
また、他の実施形態として、移動通信端末機は、キーパッドに音声認識ボタンを配置せずに、通話時の画面の下段に音声認識ソフトボタン表示を行い、該ソフトボタンを押すことにより音声認識機能を起動し又は停止することも可能である。
【００４６】
移動通信端末機は、相手側端末機との間の通話接続が成功すると、通話時の画面の下段に音声認識ソフトボタン表示を行い、ソフトボタンが押されると音声認識機能を起動し又は停止する。
【００４７】
また、他の実施形態として、移動通信端末機は、音声認識ボタンが所定時間以上押されると音声認識を起動し、音声認識ボタンを前記所定時間以内で押されるか又は別の停止ボタンが押されると音声認識機能を停止するようにしてもよい。この場合、移動通信端末機は、通話中に音声認識ボタンの押し間違いを防止するために、音声認識ボタンが所定時間以上押されたか否かを判断し、所定時間以上押された場合に音声認識機能を起動する。これにより、必要ないときに音声認識機能が起動してしまうことを防止できる。
【００４８】
ここで、ユーザが相手との通話中に音声認識ボタンを押し（操作し）、自身の音声を文字情報に変換して通話相手側の端末機にメッセージを伝送する場合を説明する。
【００４９】
例えば、ユーザは、相手に通知したい電話番号を言う前に音声認識ボタンを押して音声認識機能を起動し、その後、通話において電話番号を相手に言う。
【００５０】
移動通信端末機は、音声認識ボタンが押されたことを確認すると、音声認識機能を起動し、ユーザの音声を受信して音声認識を行う。音声認識機能が起動すると（言い換えると、音声認識が行われると）、移動通信端末機は、通話時の画面に音声認識機能が起動した（動作状態にある）旨のメッセージを表示する。
【００５１】
他の実施形態として、移動通信端末機は、音声認識機能が起動したことを通知する通知音をスピーカから出力してユーザに通知することもできる。
【００５２】
ここで、移動通信端末機は、音声認識の開始と共に音声認識の開始からの経過時間を表示し、音声認識中に音声認識された結果を画面に表示する。すなわち、移動通信端末機は、ユーザの音声の波形を分析し、その分析された波形の特徴と標準パターンとを比較して文字情報を抽出する。そして、抽出した文字情報を画面に表示し、ユーザは、画面に表示された文字情報を見て音声認識の結果を確認する。
【００５３】
次に、ユーザが音声認識の実行中に音声認識ボタンを押して音声認識機能を停止させ、音声認識の結果（変換した文字情報）を相手側の端末機に伝送する場合を説明する。
【００５４】
移動通信端末機は、音声認識機能の動作中に音声認識ボタンが押されると音声認識機能を停止する。ここで、移動通信端末機は、音声認識機能を停止したことを画面に表示し、音声認識によって変換された文字情報をメモリに保存する。
他の実施形態として、移動通信端末機は、音声認識機能を停止したことのメッセージを画面に出力する代わりに、スピーカから通知音を出力して音声認識機能の停止をユーザに通知することもできる。
【００５５】
その後、移動通信端末機は、音声認識によって変換された文字情報をメッセージとして作成し、作成したメッセージを通話中の相手の端末機に伝送する。すなわち、移動通信端末機は、通話中の相手の端末機の電話番号等（相手の端末機を特定できる情報であり、電話番号やアドレスを含む）を確認し、確認した電話番号等に基づいて前記文字情報を含むメッセージを送信する。通話中だけでなく、通話終了後でもよいことは上述したとおりである。
【００５６】
その後、通話相手側の端末機は、前記文字情報を含むメッセージを受信し、この受信したメッセージを画面に表示して音声認識された文字情報、すなわち、所定の通話内容を変換した文字情報を出力する。
【００５７】
移動通信端末機は、音声認識機能を停止して音声認識により変換された文字情報をメモリに保存し、音声認識機能を停止した旨のメッセージをユーザに通知し、その後、音声認識により変換された文字情報をメッセージとして作成して通話相手側の端末機に伝送する。あるいは、先にメッセージを送信し、その後、音声認識機能を停止する動作を行うようにしてもよい。
【００５８】
他の実施形態として、移動通信端末機は、音声認識機能の動作中に停止ボタン（音声認識機能の停止要求を出力するボタンのことである）が押されると、音声認識により変換された文字情報をメッセージとして作成して送信した後に、音声認識機能を停止し、文字情報を記録媒体に保存し、音声認識機能が停止したことを画面に表示するようにしてもよい。この場合、移動通信端末機は、音声認識機能の停止が要求されると、直ちに音声認識により変換された文字情報をメッセージとして作成して送信し、音声認識の結果である通話内容を変換した文字情報を相手側の端末機に迅速に伝送する。
【００５９】
さらに他の実施形態として、移動通信端末機は、音声認識機能の動作中に停止ボタンが押されると、音声認識機能を停止し、音声認識により変換された文字情報を記録媒体に保存し文字情報をメッセージとして作成して送信した後に、音声認識機能が停止したことを画面に表示するようにしてもよい。この場合、移動通信端末機は、音声認識機能が停止した時点までの文字情報をメッセージとして作成して送信し、音声認識機能が動作している間に行われた音声認識の結果（通話内容を変換した文字情報）の全てを相手側の端末機に正しく伝送する。
【００６０】
次に、移動通信端末機において、該移動通信端末機のユーザの音声を音声認識する代わりに、通話相手の音声を音声認識し、該音声認識の結果を記録媒体に保存してユーザが活用できるようにする実施形態について説明する。
【００６１】
移動通信端末機は、ソフトボタンとして、該移動通信端末機のユーザの音声を音声認識するための第１の音声認識ボタンと、これとは別に通話相手の音声を音声認識するための第２の音声認識ボタンと、を備え、第２の音声認識ボタンが押された場合に、通話相手の音声を受信して音声認識を行う。この場合、移動通信端末機は、音声認識機能の停止要求により通話相手の音声認識を停止し、その音声認識の結果（すなわち、相手側の通話内容を変換して文字情報）をメモリに保存する。これにより、ユーザは、通話が終了した後に、メモリに保存された音声認識の結果を活用して通話内容に含まれていた情報を抽出し、また、これを使用することができる。
【００６２】
図６は、本発明の実施形態に係る音声認識画面を示す図である。
図６に示すように、音声認識画面、すなわち、音声認識機能が起動することで表示される画面は、音声認識機能の開始を通知し、音声認識の実行中に開始からの経過時間及び音声認識の結果（変換した文字情報）を出力する。かかる音声認識画面は、通話中に行われる音声認識機能の動作状態（動作中であるか停止しているか）を表示して、さらに音声認識の結果を表示する。これにより、ユーザは通話相手側の端末機に伝送する音声認識の結果（文字情報のメッセージ）が正確か否か、すなわち、音声認識が正しく行われたか否かを事前に確認することができ、誤った情報の伝送を防止できる。
【００６３】
また、かかる音声認識画面は、音声認識が終了して音声認識の結果をメッセージとして伝送すると、該メッセージの伝送状態を表示する。これにより、ユーザはメッセージが正しく送信されたか否かを確認することができる。さらに、音声認識画面にメッセージ転送が成功したか否かを表示することで、ユーザは、誤ったメッセージが転送された場合にメッセージを修正して再び伝送するか否かを決定することも可能となる。
【００６４】
さらにまた、音声認識画面は、音声認識の結果である文字情報を記録媒体に保存するときのファイル名を表示し、ユーザは後でファイル名を参照して音声認識の結果を利用することができる。
【図面の簡単な説明】
【００６５】
【図１】本発明の実施形態に係る移動通信端末機間における通話内容の送受信を概略的に示す図である。
【図２】本発明の実施形態に係る移動通信端末機の概略構成を示すブロック図である。
【図３】キーパッド及び該キーパッドに備えられる音声認識ボタンの位置を示す図である。
【図４】音声認識ボタンをソフトボタンとして実現した例を示す図である。
【図５】本発明の実施形態に係る通話内容送信方法を示す図である。
【図６】本発明の実施形態に係る音声認識画面を示す図である。
【符号の説明】
【００６６】
１０：キーパッド
２０：制御部
３０：音声認識部
４０：表示部
５０：メッセージ送受信部
【図１】
2006352869.tif 000003
【図２】
2006352869.tif 000004
【図３】
2006352869.tif 000005
【図４】
2006352869.tif 000006
【図５】
2006352869.tif 000007
【図６】
2006352869.tif 000008